【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
第１のワイヤレストランシーバデバイスにおいて、
第２のワイヤレストランシーバデバイスに精密タイミング測定要求メッセージを送信すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数のタイミングの態様を指定する少なくとも１つのフィールドを備える、ここにおいて、前記少なくとも１つのフィールドのうちのフィールドは、精密タイミング測定メッセージの前記バースト中での前記複数の精密タイミング測定メッセージの連続する精密タイミング測定メッセージの送信間の最小持続時間を指定する、
を備える方法。
【請求項２】
前記少なくとも１つのフィールドが、前記複数の精密タイミング測定メッセージのうちの最初の精密タイミング測定メッセージの送信のための時間オフセットを指定するフィールドを含む、請求項１に記載の方法。
【請求項３】
前記少なくとも１つのフィールドが、前記精密タイミング測定要求メッセージに応答した前記第２のワイヤレストランシーバデバイスからの前記複数の精密タイミング測定メッセージの送信のための周波数チャネルを指定するフィールドを含む、ここにおいて、前記少なくとも１つのフィールドのうちの前記フィールドの中に指定される送信のための前記周波数チャネルが、前記精密タイミング測定要求メッセージを送信するために使用される周波数チャネルとは異なる、請求項１に記載の方法。
【請求項４】
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、および好ましくは、前記ビットのうちの前記少なくとも１つが、前記複数の精密タイミング測定メッセージのうちの最初の精密タイミング測定メッセージの送信のための時間オフセットを指定する前記少なくとも１つのフィールド中の値が有効であるまたは容認されるのかどうかを示すビットを備える、請求項１に記載の方法。
【請求項５】
前記少なくとも１つのフィールドが、前記精密タイミング測定要求メッセージに応答した送信のために要求される精密タイミング測定メッセージをブロードキャストすべきデータレートを指定するフィールドを含む、または、
前記少なくとも１つのフィールドが、前記第１のワイヤレストランシーバデバイスがオフチャネルまたはスリープに移行することが許可され得る持続時間を指定するフィールドを含む、または、
前記少なくとも１つのフィールドが、精密タイミング測定メッセージの前記バースト中での送信のための精密タイミング測定メッセージの要求数を指定するフィールドを含む、または、
前記少なくとも１つのフィールドが、前記精密タイミング測定要求メッセージに応答した前記第２のワイヤレストランシーバデバイスからの送信のために要求される精密タイミング測定メッセージの連続バースト数を指定するフィールドを含む、精密タイミング測定メッセージの各連続バーストが、複数の精密タイミング測定メッセージを備える、および好ましくは、前記少なくとも１つのフィールドのうちのフィールドが、精密タイミング測定メッセージの前記連続バーストの最初の精密タイミング測定メッセージ間の要求時間期間を指定する、または、
前記精密タイミング測定要求メッセージが、複数のビットを定義するトリガフィールドをさらに備える、前記ビットのうちの少なくとも１つが、前記精密タイミング測定要求メッセージの少なくとも１つの他のフィールド中の値が有効であるまたは容認されるのかどうかを示す、ここにおいて、前記ビットのうちの前記少なくとも１つが、精密タイミング測定メッセージのバースト中での送信のための精密タイミング測定メッセージの数を指定するフィールド中の値が有効であるまたは容認されるのかどうかを示すビットを備える、または、
前記精密タイミング測定要求メッセージが、複数のビットを定義するトリガフィールドをさらに備える、前記ビットのうちの少なくとも１つが、前記精密タイミング測定要求メッセージの少なくとも１つの他のフィールド中の値が有効であるまたは容認されるのかどうかを示す、ここにおいて、前記ビットのうちの前記少なくとも１つが、前記要求時間期間を指定する前記フィールド中の値が有効であるまたは容認されるのかどうかを示すビットを備える、請求項１に記載の方法。
【請求項６】
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、および好ましくは、
前記精密タイミング測定要求メッセージが、複数のビットを定義するトリガフィールドをさらに備える、前記ビットのうちの少なくとも１つが、前記精密タイミング測定要求メッセージの少なくとも１つの他のフィールド中の値が有効であるまたは容認されるのかどうかを示す、ここにおいて、前記ビットのうちの前記少なくとも１つが、前記精密タイミング測定要求メッセージの送信と前記精密タイミング測定要求メッセージ肯定応答メッセージの受信との間の最大時間を指定する前記少なくとも１つのフィールド中の値が有効であるまたは容認されるのかどうかを示すビットを備える、請求項１に記載の方法。
【請求項７】
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、請求項１に記載の方法。
【請求項８】
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、または、
前記少なくとも１つのフィールドのうちのフィールドが、前記第２のワイヤレストランシーバデバイスから受信された精密タイミング測定メッセージに基づいてタイムスタンプまたはタイムスタンプから導出された精密タイミング測定値を共有する前記第１のワイヤレストランシーバデバイスの意思を示す、請求項１に記載の方法。
【請求項９】
前記精密タイミング測定要求メッセージの受信に応答して前記第２のワイヤレストランシーバデバイスによって送信された精密タイミング測定要求メッセージ肯定応答メッセージを受信すること、前記精密タイミング測定要求メッセージ肯定応答メッセージが、前記第２のワイヤレストランシーバデバイスのロケーションにおいて測定された気圧を示す少なくとも１つのフィールドを備える、および好ましくは、
前記精密タイミング測定要求メッセージ肯定応答メッセージ中の前記少なくとも１つのフィールドが、圧力分解能部分を指定する所定の数のビットと、圧力部分を指定する所定の数のビットと、整数部分を指定する所定の数のビットとを備える、
をさらに備える、請求項１に記載の方法。
【請求項１０】
前記第２のワイヤレストランシーバデバイスにおける前記精密タイミング測定要求メッセージの到着時間を指定する第１のフィールドと、前記第２のワイヤレストランシーバデバイスからの精密タイミング測定メッセージの出発時間を指定する第２のフィールドとを少なくとも備える、前記精密タイミング測定要求メッセージの受信に応答して前記第２のワイヤレストランシーバデバイスによって送信された前記精密タイミング測定メッセージを受信すること、
ここにおいて、前記第１のフィールドと前記第２のフィールドとの中に指定された値が固定ビット長値として表される、
ここにおいて、前記精密タイミング測定メッセージが、前記第１のフィールドまたは前記第２のフィールドのいずれかの中に指定された値が、以前に送信された精密タイミング測定メッセージ中の対応する値と不連続であることを示す少なくとも１つのフィールドをさらに備える、および好ましくは、
前記第１のフィールドと前記第２のフィールドとの中の前記値が、固定ビットカウンタに従って決定される、ここにおいて、前記カウンタが最大値を超えており、最小値においてカウントを開始する場合、前記第１のフィールドまたは前記第２のフィールドの中に指定された値は不連続であるものとして示される、
をさらに備える、請求項１に記載の方法。
【請求項１１】
第１のワイヤレストランシーバデバイスであって、
第２のワイヤレストランシーバデバイスに精密タイミング測定要求メッセージを送信するための手段と、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数のタイミングの態様を指定する少なくとも１つのフィールドを備える、ここにおいて、前記少なくとも１つのフィールドのうちのフィールドは、精密タイミング測定メッセージの前記バースト中での前記複数の精密タイミング測定メッセージの連続する精密タイミング測定メッセージの送信間の最小持続時間を指定する、
前記第２のトランシーバデバイスから、前記少なくとも１つのフィールドに、少なくとも部分的に、基づいて送信される１つまたは複数の精密タイミング測定要求メッセージを受信するための手段と
を備える第１のワイヤレストランシーバデバイス。
【請求項１２】
第１のワイヤレストランシーバデバイスにおいて、
第２のワイヤレストランシーバデバイスから精密タイミング測定要求メッセージを受信することと、前記精密タイミング測定要求メッセージが、送信のために要求される精密タイミング測定メッセージのバースト中での複数の精密タイミング測定メッセージの送信のための１つまたは複数のタイミングの態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストを送信することと、ここにおいて、精密タイミング測定メッセージの前記１つまたは複数のバーストを送信することは、前記少なくとも１つのフィールドのうちのフィールドに、少なくとも部分的に、基づいて前記バースト中での連続する精密タイミング測定メッセージの送信間の最小持続時間を維持することをさらに備える、
を備える方法。
【請求項１３】
精密タイミング測定メッセージの前記１つまたは複数のバーストを送信することが、前記少なくとも１つのフィールドのうちのフィールドに、少なくとも部分的に、基づいてある時間オフセットで前記複数の精密タイミング測定メッセージのうちの最初の精密タイミング測定メッセージを送信することをさらに備える、または、
精密タイミング測定メッセージの前記１つまたは複数のバーストを送信することが、前記少なくとも１つのフィールドのうちのフィールドに、少なくとも部分的に、基づいてあるデータレートで精密タイミング測定メッセージの前記１つまたは複数のバーストをブロードキャストすることをさらに備える、または、
精密タイミング測定メッセージの前記１つまたは複数のバーストを送信することが、前記少なくとも１つのフィールドのうちのフィールドに、少なくとも部分的に、基づいて前記バースト中での送信のための精密タイミング測定メッセージの数を送信することをさらに備える、または、
精密タイミング測定メッセージの前記１つまたは複数のバーストを送信することが、前記少なくとも１つのフィールドのうちのフィールドに、少なくとも部分的に、基づいて精密タイミング測定メッセージの連続バースト数を送信することをさらに備える、または、
精密タイミング測定メッセージの前記１つまたは複数のバーストを送信することが、前記少なくとも１つのフィールドのうちのフィールドに、少なくとも部分的に、基づいて連続するバーストの最初の精密タイミング測定メッセージ間の時間期間を維持しながら精密タイミング測定メッセージの連続バーストを送信することをさらに備える、または、
精密タイミング測定メッセージの前記１つまたは複数のバーストを送信することが、前記少なくとも１つのフィールドのうちのフィールドに、少なくとも部分的に、基づいて精密タイミング測定メッセージのバースト数を送信することをさらに備える、請求項１２に記載の方法。
【請求項１４】
物品であって、
請求項１乃至１０または１３の方法を実行するために第１のワイヤレストランシーバデバイスの専用コンピューティング装置によって実行可能である、記憶された機械可読命令を備える非一時的記憶媒体
を備える、物品。
【請求項１５】
第１のワイヤレストランシーバデバイスであって、
第２のワイヤレストランシーバデバイスから精密タイミング測定要求メッセージを受信するための手段と、前記精密タイミング測定要求メッセージが、送信のために要求される精密タイミング測定メッセージのバースト中での複数の精密タイミング測定メッセージの送信のための１つまたは複数のタイミングの態様を指定する少なくとも１つのフィールドを備える、
前記少なくとも１つのフィールドに、少なくとも部分的に、基づいて前記精密タイミング測定要求メッセージの受信に応答して前記第２のワイヤレストランシーバデバイスに精密タイミング測定メッセージの１つまたは複数のバーストを送信するための手段と、ここにおいて、精密タイミング測定メッセージの前記１つまたは複数のバーストを送信することが、前記少なくとも１つのフィールドのうちのフィールドに、少なくとも部分的に、基づいて前記バースト中での連続する精密タイミング測定メッセージの送信間の最小持続時間を維持することをさらに備える、
を備える第１のワイヤレストランシーバデバイス。
【手続補正２】
【補正対象書類名】明細書
【補正対象項目名】０１２９
【補正方法】変更
【補正の内容】
【０１２９】
[000174]  現在例示的な特徴と考えられることについて例示し説明したが、請求する主題から逸脱することなく、様々な他の変更が行われ得、均等物が代用され得ることが、当業者には理解されよう。さらに、本明細書で説明された主要な概念から逸脱することなしに、特定の状況を特許請求の範囲に記載された対象の教示に適応させるために、多くの修正が行われ得る。したがって、特許請求の範囲に記載された対象は、開示された特定の例に限定されないが、そのような特許請求の範囲に記載された対象は、添付の特許請求の範囲に含まれるすべての態様、およびそれらの均等物も含み得ることが意図される。
以下に、本願の出願当初の特許請求の範囲に記載された発明を付記する。
［Ｃ１］
第１のワイヤレストランシーバデバイスにおいて、
第２のワイヤレストランシーバデバイスに精密タイミング測定要求メッセージを送信すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
を備える方法。
［Ｃ２］
前記少なくとも１つのフィールドのうちのフィールドが、前記複数の精密タイミング測定メッセージのうちの最初の精密タイミング測定メッセージの送信のための時間オフセットを指定する、Ｃ１に記載の方法。
［Ｃ３］
前記少なくとも１つのフィールドのうちのフィールドが、前記精密タイミング測定要求メッセージに応答した前記第２のワイヤレストランシーバデバイスからのメッセージの送信のための周波数チャネルを指定する、Ｃ１に記載の方法。
［Ｃ４］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ１に記載の方法。
［Ｃ５］
前記ビットのうちの前記少なくとも１つが、前記複数の精密タイミング測定メッセージのうちの最初の精密タイミング測定メッセージの送信のための時間オフセットを指定する前記少なくとも１つのフィールド中の値が有効であるまたは容認されるのかどうかを示すビットを備える、Ｃ４に記載の方法。
［Ｃ６］
前記精密タイミング測定要求フレームが、フィールド、少なくとも「長さ」フィールドに続くフィールド１つまたは複数のフィールドを除外するために、前記第２のワイヤレストランシーバデバイスにおける前記精密タイミング測定要求メッセージの切り捨てを可能にする前記「長さ」フィールドをさらに備える、Ｃ１に記載の方法。
［Ｃ７］
前記精密タイミング測定要求が、複数の精密タイミング測定メッセージのバースト中での連続する精密タイミング測定メッセージの送信間の最小持続時間を指定する「Ｍｉｎ＿ｄｅｌｔａ」フィールドをさらに備える、ここにおいて、前記Ｍｉｎ＿ｄｅｌｔａフィールドと前記オフセットを指定する前記少なくとも１つのフィールドとが、「長さ」フィールドの直後にくる、ここにおいて、前記長さフィールドは、前記Ｍｉｎ＿ｄｅｌｔａフィールドと前記オフセットを指定する前記少なくとも１つのフィールドとに続くフィールドを除外するために、前記精密タイミング測定要求メッセージの切り捨てを可能にする、Ｃ６に記載の方法。
［Ｃ８］
前記少なくとも１つのフィールドのうちのフィールドが、前記精密タイミング測定要求メッセージに応答した送信のために要求される精密タイミング測定値をブロードキャストすべきデータレートを指定する、Ｃ１に記載の方法。
［Ｃ９］
前記精密タイミング測定要求メッセージは、前記第１のワイヤレストランシーバデバイスがオフチャネルまたはスリープに移行することが許可され得る持続時間を指定する少なくとも１つのフィールドをさらに備える、Ｃ１に記載の方法。
［Ｃ１０］
前記少なくとも１つのフィールドのうちのフィールドが、精密タイミング測定メッセージの前記バースト中での送信のための精密タイミング測定メッセージの要求数を指定する、Ｃ１に記載の方法。
［Ｃ１１］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ１に記載の方法。
［Ｃ１２］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、精密タイミング測定メッセージのバースト中での送信のための精密タイミング測定メッセージの数を指定するフィールド中の値が有効であるまたは容認されるのかどうかを示すビットを備える、Ｃ１に記載の方法。
［Ｃ１３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ１に記載の方法。
［Ｃ１４］
前記少なくとも１つのフィールドのうちのフィールドが、前記精密タイミング測定要求メッセージに応答して前記第２のワイヤレストランシーバデバイスから送信されるべき精密タイミング測定メッセージの連続バースト数を指定する、Ｃ１に記載の方法。
［Ｃ１５］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、前記要求時間期間を指定する前記フィールド中の値が有効であるまたは容認されるのかどうかを示すビットを備える、Ｃ１に記載の方法。
［Ｃ１６］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ１に記載の方法。
［Ｃ１７］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、前記精密タイミング測定要求メッセージの送信と前記精密タイミング測定要求メッセージ肯定応答フレームの受信との間の最大時間を指定する前記少なくとも１つのフィールド中の値が有効であるまたは容認されるのかどうかを示すビットを備える、Ｃ１６に記載の方法。
［Ｃ１８］
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、Ｃ１に記載の方法。
［Ｃ１９］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ１に記載の方法。
［Ｃ２０］
前記少なくとも１つのフィールドのうちのフィールドが、複数の精密タイミング測定メッセージのバースト中での連続する精密タイミング測定メッセージの送信間の最小持続時間を指定する、Ｃ１に記載の方法。
［Ｃ２１］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、複数の精密タイミング測定メッセージのバースト中での連続する精密タイミング測定メッセージの送信間の前記最小持続時間を指定する前記少なくとも１つのフィールド中の値が有効であるまたは容認されるのかどうかを示すビットを備える、Ｃ１９に記載の方法。
［Ｃ２２］
前記少なくとも１つのフィールドのうちのフィールドが、前記第２のワイヤレストランシーバデバイスから受信された精密タイミング測定メッセージに基づいてタイムスタンプまたはタイムスタンプから導出された精密タイミング測定値を共有する前記第１のワイヤレストランシーバデバイスの意思を示す、Ｃ１に記載の方法。
［Ｃ２３］
前記精密タイミング測定要求メッセージの受信に応答して前記第２のワイヤレストランシーバデバイスによって送信された精密タイミング測定要求メッセージ肯定応答メッセージを受信すること、前記精密タイミング測定要求メッセージ肯定応答メッセージが、前記第２のワイヤレストランシーバデバイスのロケーションにおいて測定された気圧を示す少なくとも１つのフィールドを備える、
をさらに備える、Ｃ１に記載の方法。
［Ｃ２４］
前記精密タイミング測定要求メッセージ肯定応答メッセージ中の前記少なくとも１つのフィールドが、圧力分解能部分を指定する所定の数のビットと、圧力部分を指定する所定の数のビットと、整数部分を指定する所定の数のビットとを備える、Ｃ２３に記載の方法。
［Ｃ２５］
前記第２のワイヤレストランシーバデバイスにおける前記精密タイミング測定要求メッセージの到着時間を指定する第１のフィールドと、前記第２のワイヤレストランシーバデバイスからの精密タイミング測定メッセージの出発時間を指定する第２のフィールドとを少なくとも備える、前記精密タイミング測定要求メッセージの受信に応答して前記第２のワイヤレストランシーバデバイスによって送信された前記精密タイミング測定メッセージを受信すること、
ここにおいて、前記第１のフィールドと前記第２のフィールドとの中に指定された値が固定ビット長値として表される、
ここにおいて、前記精密タイミング測定メッセージが、前記第１のフィールドまたは前記第２のフィールドのいずれかの中に指定された値が、以前に送信された精密タイミング測定メッセージ中の対応する値と不連続であることを示す少なくとも１つのフィールドをさらに備える、
をさらに備える、Ｃ１に記載の方法。
［Ｃ２６］
前記第１のフィールドと前記第２のフィールドとの中の前記値が、固定ビットカウンタに従って決定される、ここにおいて、前記カウンタが最大値を超えており、最小値においてカウントを開始する場合、前記第１のフィールドまたは前記第２のフィールドの中に指定された値は不連続であるものとして示される、Ｃ２５に記載の方法。
［Ｃ２７］
第１のワイヤレストランシーバデバイスであって、
ワイヤレス通信ネットワークにメッセージを送信し、前記ワイヤレス通信ネットワークからメッセージを受信するためのトランシーバと、
第２のワイヤレストランシーバデバイスに前記トランシーバを通して精密タイミング測定要求メッセージの送信を開始すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、を行うための１つまたは複数のプロセッサと
を備える第１のワイヤレストランシーバデバイス。
［Ｃ２８］
前記少なくとも１つのフィールドのうちのフィールドが、前記複数の精密タイミング測定メッセージの最初の精密タイミング測定メッセージの送信のための時間オフセットを指定する、Ｃ２７に記載の第１のワイヤレストランシーバデバイス。
［Ｃ２９］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ２７に記載の第１のワイヤレストランシーバデバイス。
［Ｃ３０］
前記少なくとも１つのフィールドのうちのフィールドが、前記精密タイミング測定要求メッセージに応答した送信のために要求される精密タイミング測定値をブロードキャストすべきデータレートを指定する、Ｃ２７に記載の第１のワイヤレストランシーバデバイス。
［Ｃ３１］
前記少なくとも１つのフィールドのうちのフィールドが、精密タイミング測定メッセージの前記バースト中での送信のための精密タイミング測定メッセージの要求数を指定する、Ｃ２７に記載の第１のワイヤレストランシーバデバイス。
［Ｃ３２］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ２７に記載の第１のワイヤレストランシーバデバイス。
［Ｃ３３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ２７に記載の第１のワイヤレストランシーバデバイス。
［Ｃ３４］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ２７に記載の第１のワイヤレストランシーバデバイス。
［Ｃ３５］
前記少なくとも１つのフィールドのうちのフィールドが、前記精密タイミング測定要求メッセージに応答した前記第２のワイヤレストランシーバデバイスによる送信のために要求される精密タイミング測定メッセージのバースト数を指定する、Ｃ２７に記載の第１のワイヤレストランシーバデバイス。
［Ｃ３６］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ２７に記載の第１のワイヤレストランシーバデバイス。
［Ｃ３７］
前記少なくとも１つのフィールドのうちのフィールドが、複数の精密タイミング測定メッセージのバースト中での連続する精密タイミング測定メッセージの送信間の最小持続時間を指定する、Ｃ２７に記載の第１のワイヤレストランシーバデバイス。
［Ｃ３８］
物品であって、
第２のワイヤレストランシーバデバイスに精密タイミング測定要求メッセージの送信を開始すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
を行うために第１のワイヤレストランシーバデバイスの専用コンピューティング装置によって実行可能である、記憶された機械可読命令を備える非一時的記憶媒体
を備える、物品。
［Ｃ３９］
前記少なくとも１つのフィールドのうちのフィールドが、前記複数の精密タイミング測定メッセージの最初の精密タイミング測定メッセージの送信のための時間オフセットを指定する、Ｃ３８に記載の物品。
［Ｃ４０］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ３８に記載の物品。
［Ｃ４１］
前記少なくとも１つのフィールドのうちのフィールドが、前記精密タイミング測定要求メッセージに応答した送信のために要求される精密タイミング測定値をブロードキャストすべきデータレートを指定する、Ｃ３８に記載の物品。
［Ｃ４２］
前記少なくとも１つのフィールドのうちのフィールドが、精密タイミング測定メッセージの前記バースト中での送信のための精密タイミング測定メッセージの要求数を指定する、Ｃ３８に記載の物品。
［Ｃ４３］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ３８に記載の物品。
［Ｃ４４］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ３８に記載の物品。
［Ｃ４５］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ３８に記載の物品。
［Ｃ４６］
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、Ｃ３８に記載の物品。
［Ｃ４７］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ３８に記載の物品。
［Ｃ４８］
前記少なくとも１つのフィールドのうちのフィールドが、複数の精密タイミング測定メッセージのバースト中での連続する精密タイミング測定メッセージの送信間の最小持続時間を指定する、Ｃ３８に記載の物品。
［Ｃ４９］
第１のワイヤレストランシーバデバイスであって、
第２のワイヤレストランシーバデバイスに精密タイミング測定要求メッセージを送信するための手段と、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
前記第２のトランシーバデバイスから、前記少なくとも１つのフィールドに、少なくとも部分的に、基づいて送信される１つまたは複数の精密タイミング測定要求フレームを受信するための手段と
を備える第１のワイヤレストランシーバデバイス。
［Ｃ５０］
前記少なくとも１つのフィールドのうちのフィールドが、前記複数の精密タイミング測定メッセージの最初の精密タイミング測定メッセージの送信のための時間オフセットを指定する、Ｃ４９に記載の第１のワイヤレストランシーバデバイス。
［Ｃ５１］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ４９に記載の第１のワイヤレストランシーバデバイス。
［Ｃ５２］
前記少なくとも１つのフィールドのうちのフィールドが、精密タイミング測定メッセージの前記バースト中での送信のための精密タイミング測定メッセージの要求数を指定する、Ｃ４９に記載の第１のワイヤレストランシーバデバイス。
［Ｃ５３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ４９に記載の第１のワイヤレストランシーバデバイス。
［Ｃ５４］
前記少なくとも１つのフィールドのうちのフィールドが、前記精密タイミング測定要求メッセージに応答した前記第２のワイヤレストランシーバデバイスによる送信のために要求される精密タイミング測定メッセージのバースト数を指定する、Ｃ４９に記載の第１のワイヤレストランシーバデバイス。
［Ｃ５５］
第１のワイヤレストランシーバデバイスにおいて、
第２のワイヤレストランシーバデバイスから精密タイミング測定要求メッセージを受信することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストを送信することと
を備える方法。
［Ｃ５６］
精密タイミング測定メッセージの前記１つまたは複数のバーストを送信することが、前記少なくとも１つのフィールドのうちのフィールドに、少なくとも部分的に、基づいてある時間オフセットで前記複数の精密タイミング測定メッセージのうちの最初の精密タイミング測定メッセージを送信することをさらに備える、Ｃ５５に記載の方法。
［Ｃ５７］
精密タイミング測定メッセージの前記１つまたは複数のバーストを送信することが、前記少なくとも１つのフィールドのうちのフィールドに、少なくとも部分的に、基づいてあるデータレートで精密タイミング測定メッセージの前記１つまたは複数のバーストをブロードキャストすることをさらに備える、Ｃ５５に記載の方法。
［Ｃ５８］
精密タイミング測定メッセージの前記１つまたは複数のバーストを送信することが、前記少なくとも１つのフィールドのうちのフィールドに、少なくとも部分的に、基づいて前記バースト中での送信のための精密タイミング測定メッセージの数を送信することをさらに備える、Ｃ５５に記載の方法。
［Ｃ５９］
精密タイミング測定メッセージの前記１つまたは複数のバーストを送信することが、前記少なくとも１つのフィールドのうちのフィールドに、少なくとも部分的に、基づいて精密タイミング測定メッセージの連続バースト数を送信することをさらに備える、Ｃ５５に記載の方法。
［Ｃ６０］
精密タイミング測定メッセージの前記１つまたは複数のバーストを送信することが、前記少なくとも１つのフィールドのうちのフィールドに、少なくとも部分的に、基づいて連続するバーストの最初の精密タイミング測定メッセージ間の時間期間を維持しながら精密タイミング測定メッセージの連続バーストを送信することをさらに備える、Ｃ５５に記載の方法。
［Ｃ６１］
精密タイミング測定メッセージの前記１つまたは複数のバーストを送信することが、前記少なくとも１つのフィールドのうちのフィールドに、少なくとも部分的に、基づいて精密タイミング測定メッセージのバースト数を送信することをさらに備える、Ｃ５５に記載の方法。
［Ｃ６２］
精密タイミング測定メッセージの前記１つまたは複数のバーストを送信することが、前記少なくとも１つのフィールドのうちのフィールドに、少なくとも部分的に、基づいて前記バースト中での連続する精密タイミング測定メッセージの送信間の最小持続時間を維持することをさらに備える、Ｃ５５に記載の方法。
［Ｃ６３］
第１のワイヤレストランシーバデバイスであって、
ワイヤレス通信ネットワークにメッセージを送信し、前記ワイヤレス通信ネットワークからメッセージを受信するためのトランシーバと、
第２のワイヤレストランシーバデバイスから前記トランシーバにおいて受信された精密タイミング測定要求メッセージを取得することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに前記トランシーバを通して精密タイミング測定メッセージの１つまたは複数のバーストの送信を開始することと
を行うための１つまたは複数のプロセッサと
を備える第１のワイヤレストランシーバデバイス。
［Ｃ６４］
精密タイミング測定メッセージの前記１つまたは複数のバーストは、前記複数の精密タイミング測定メッセージのうちの最初の精密タイミング測定メッセージが前記少なくとも１つのフィールドのうちのフィールドに、少なくとも部分的に基づいてある時間オフセットで送信されるように送信される、Ｃ６６に記載の第１のワイヤレストランシーバデバイス。
［Ｃ６５］
前記１つまたは複数のプロセッサが、前記少なくとも１つのフィールドのうちのフィールドに、少なくとも部分的に、基づいてあるデータレートで前記トランシーバを通して精密タイミング測定メッセージの前記１つまたは複数のバーストのブロードキャストを開始することをさらに行う、Ｃ６６に記載の第１のワイヤレストランシーバデバイス。
［Ｃ６６］
精密タイミング測定メッセージの前記１つまたは複数のバーストは、精密タイミング測定メッセージの数が前記少なくとも１つのフィールドのうちのフィールドに、少なくとも部分的に、基づいて前記バースト中で送信されるように送信される、Ｃ６６に記載の第１のワイヤレストランシーバデバイス。
［Ｃ６７］
精密タイミング測定メッセージの前記１つまたは複数のバーストは、連続バースト数が前記少なくとも１つのフィールドのうちのフィールドに、少なくとも部分的に、基づいて送信されるように送信される、Ｃ６６に記載の第１のワイヤレストランシーバデバイス。
［Ｃ６８］
精密タイミング測定メッセージの前記１つまたは複数のバーストは、連続バーストの最初の精密タイミング測定メッセージ間の時間期間が前記少なくとも１つのフィールドのうちのフィールドに、少なくとも部分的に、基づいて維持されるように送信される、Ｃ６６に記載の第１のワイヤレストランシーバデバイス。
［Ｃ６９］
精密タイミング測定メッセージの前記１つまたは複数のバーストは、精密タイミング測定メッセージのバースト数が前記少なくとも１つのフィールドのうちのフィールドに、少なくとも部分的に、基づいて送信されるように送信される、Ｃ６６に記載の第１のワイヤレストランシーバデバイス。
［Ｃ７０］
精密タイミング測定メッセージの前記１つまたは複数のバーストは、最小持続時間が前記少なくとも１つのフィールドのうちのフィールドに、少なくとも部分的に、基づいて前記バースト中での連続する精密タイミング測定メッセージの送信間で維持されるように送信される、Ｃ６６に記載の第１のワイヤレストランシーバデバイス。
［Ｃ７１］
物品であって、
第２のワイヤレストランシーバデバイスから前記第１のワイヤレストランシーバデバイスにおいて受信された精密タイミング測定要求メッセージを取得することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストの送信を開始することと
を行うために前記第１のワイヤレストランシーバデバイスの専用コンピューティング装置によって実行可能である、記憶された機械可読命令を備える非一時的記憶媒体
を備える、物品。
［Ｃ７２］
第１のワイヤレストランシーバデバイスであって、
第２のワイヤレストランシーバデバイスから精密タイミング測定要求メッセージを受信するための手段と、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記少なくとも１つのフィールドに基づいて前記精密タイミング測定要求メッセージの受信に応答して前記第２のワイヤレストランシーバデバイスに精密タイミング測定メッセージの１つまたは複数のバーストを送信するための手段と
を備える第１のワイヤレストランシーバデバイス。